(57)【要約】【課題】構造物に対する扉の取り付け位置を速やかに調整することができる蝶番を提供することである。また、このような蝶番を有する扉と、構造物に扉を取り付ける扉取付部構成部材を提供することである。【解決手段】扉４を構造物５に取り付ける蝶番１であって、扉４側に固定される扉側固定部５６と、構造物５側に固定される構造物側固定部５１ａと、扉側固定部５６と構造物側固定部５１ａを連結する連結部５７を有し、扉側固定部５６と構造物側固定部５１ａが対面する姿勢で、両固定部５６、５１ａの間隔が変化するように両固定部５６、５１ａの相対位置を変更する位置調整機構６４、６５を前記連結部５７に設けた。【選択図】図３５
2020060093.tif 000002
【特許請求の範囲】
【請求項１】
扉を構造物に取り付ける蝶番であって、
扉側に固定される扉側固定部と、
構造物側に固定される構造物側固定部と、
扉側固定部と構造物側固定部を連結する連結部を有し、
前記扉側固定部と構造物側固定部が対面する姿勢で、両固定部の間隔が変化するように両固定部の相対位置を変更する位置調整機構を前記連結部に設けたことを特徴とする蝶番。
【請求項２】
前記連結部は、扉側固定部と一体の扉側構成部と、構造物側固定部と一体の構造物側構成部を有し、
前記扉側構成部と構造物側構成部が相対移動可能であることを特徴とする請求項１に記載の蝶番。
【請求項３】
前記扉側構成部と構造物側構成部の一方が、扉側固定部又は構造物側固定部に対して水平軸周りに回転可能な回転体を構成しており、
扉側構成部と構造物側構成部の他方が、水平方向に揺動可能な揺動体を有し、
前記回転体と揺動体の一方が、渦巻状の突条又は渦巻状の溝を有し、
回転体と揺動体の他方が、前記渦巻状の突条又は渦巻状の溝と係合する突起を有し、
前記渦巻状の突条又は渦巻状の溝に沿って、前記突起が相対移動可能であることを特徴とする請求項２に記載の蝶番。
【請求項４】
請求項１乃至３のいずれかに記載の蝶番の前記扉側固定部が固定されたことを特徴とする蝶番付き扉。
【請求項５】
構造物に一体化される扉取付部構成部材であって、請求項１乃至３のいずれかに記載の蝶番の前記構造物側固定部が固定されたことを特徴とする扉取付部構成部材。
【発明の詳細な説明】
【技術分野】
【０００１】
本発明は、扉を家屋等の構造物に揺動可能に取り付ける蝶番に関するものである。特に本発明は、構造物側に固定する構造物側固定部と扉側に固定する扉側固定部を有し、これら両固定部の相対位置を調整可能な蝶番に関するものである。また、本発明は、このような蝶番を有する蝶番付き扉に関するものである。さらに、本発明は、このような蝶番を介して扉を構造物に取り付けるための扉取付部構成部材に関するものである。
【背景技術】
【０００２】
家屋等の構造物の出入口には、別途工場で製造された扉が取り付けられる。扉を構造物の適切な位置にいきなり配置するのは極めて困難であるため、従来、構造物に対する扉の取り付け位置を調整する機構が発案されている。
【０００３】
すなわち作業者は、構造物の出入口に扉を仮に取り付けて扉を開閉し、出入口に対する扉の取り付け位置が適切か否かを確認する。そして、扉の位置が適切な位置からずれている場合には、そのずれを解消するように扉の取り付け位置を調整する。
【０００４】
このように構造物に対する扉の取り付け位置を調整することができる蝶番が、例えば特許文献１に開示されている。特許文献１に開示されている蝶番は、扉の上下方向の位置を調整する機構の他に、扉の前後方向の位置を調整する機構と、扉の左右方向の位置を調整する機構と、構造物の出入口の任意の位置で扉の取り付け位置を仮に固定することができるロック機構を有している。
【先行技術文献】
【特許文献】
【０００５】
【特許文献１】特開２００１−２２７２３０号公報
【発明の概要】
【発明が解決しようとする課題】
【０００６】
特許文献１に開示されているような従来の蝶番では、扉を開いた状態で構造物に対する扉の取り付け位置を調整している。すなわち、扉の取り付け位置が適切か否かを確認するために扉を閉じ、位置が不適切であった場合には、再度扉を開き、取り付け位置を調整し、さらに扉を閉じるという手順を繰り返す。
そのため、構造物に対する扉の取り付け位置の調整は、扉の開閉動作を伴うものであり、取り付け位置を適切に調整するのに手間と時間が掛かっていた。
【０００７】
そこで本発明は、構造物に対する扉の取り付け位置を速やかに調整することができる蝶番を提供することを課題としている。また、本発明は、このような蝶番を有する蝶番付き扉を提供することを課題としている。さらに、本発明は、このような蝶番を介して扉を構造物に取り付けるための扉取付部構成部材を提供することを課題としている。
【課題を解決するための手段】
【０００８】
上記課題を解決するための請求項１に記載の発明は、扉を構造物に取り付ける蝶番であって、扉側に固定される扉側固定部と、構造物側に固定される構造物側固定部と、扉側固定部と構造物側固定部を連結する連結部を有し、前記扉側固定部と構造物側固定部が対面する姿勢で、両固定部の間隔が変化するように両固定部の相対位置を変更する位置調整機構を前記連結部に設けたことを特徴とする蝶番である。
【０００９】
請求項１に記載の発明では、扉側固定部と構造物側固定部が対面する姿勢で、両固定部の間隔が変化するように両固定部の相対位置を変更する位置調整機構を前記連結部に設けたので、蝶番を閉じた状態で扉側固定部と構造物側固定部の相対位置を調整することができる。すなわち、扉を閉じた状態で扉の取り付け位置を調整することができる。そのため、扉を開閉しなくても扉の取り付け位置を適切に調整することができる。その結果、構造物に対する扉の取り付け位置を、容易に、且つ速やかに調整することができる。
ここで、扉側固定部と構造物側固定部が対面する姿勢とは、扉側固定部と構造物側固定部における連結部とは反対側の端部同士が近接する姿勢であり、蝶番が閉じた状態の姿勢を意味している。
【００１０】
請求項２に記載の発明は、前記連結部は、扉側固定部と一体の扉側構成部と、構造物側固定部と一体の構造物側構成部を有し、前記扉側構成部と構造物側構成部が相対移動可能であることを特徴とする請求項１に記載の蝶番である。
【００１１】
請求項２に記載の発明では、連結部は、扉側固定部と一体の扉側構成部と、構造物側固定部と一体の構造物側構成部を有し、扉側構成部と構造物側構成部が相対移動可能であるので、扉側構成部と構造物側構成部を相対移動させると、扉側固定部と構造物側固定部の相対位置が変化する。
【００１２】
請求項３に記載の発明は、前記扉側構成部と構造物側構成部の一方が、扉側固定部又は構造物側固定部に対して水平軸周りに回転可能な回転体を構成しており、扉側構成部と構造物側構成部の他方が、水平方向に揺動可能な揺動体を有し、前記回転体と揺動体の一方が、渦巻状の突条又は渦巻状の溝を有し、回転体と揺動体の他方が、前記渦巻状の突条又は渦巻状の溝と係合する突起を有し、前記渦巻状の突条又は渦巻状の溝に沿って、前記突起が相対移動可能であることを特徴とする請求項２に記載の蝶番である。
【００１３】
請求項３に記載の発明では、回転体が回転して、渦巻状の突条又は渦巻状の溝に沿って突起が相対移動すると、回転体と揺動体の水平方向の相対位置が変化する。すなわち、扉側固定部と構造物側固定部の水平方向の相対位置が変化する。
また、回転体と揺動体の係合は、渦巻状の突条又は渦巻状の溝と突起とで成されているため、一方向の直線的な外力が作用するだけでは、突条又は溝に沿って突起は相対移動しない。そのため、回転体と揺動体の水平方向の相対位置が不用意に変動することがない。すなわち、扉側固定部と構造物側固定部の水平方向の相対位置が不用意に変動しない。
換言すると、渦巻状の突条又は渦巻状の溝に沿って突起が相対移動するためには、両者の間に作用する抵抗に打ち勝つだけの大きさの力で回転体を回転させる必要がある。そのため、回転体は抵抗に打ち勝つ力が作用して初めて回転する。そして、回転体が回転すると、渦巻状の突条又は渦巻状の溝に沿って突起が相対移動し、扉側固定部と構造物側固定部が水平方向に相対移動して両者の相対位置が変化する。
【００１４】
扉は、請求項１乃至３のいずれかに記載の蝶番の扉側固定部が固定されていて、蝶番付き扉とするのが好ましい（請求項４）。
【００１５】
構造物に一体化される扉取付部構成部材に、請求項１乃至３のいずれかに記載の蝶番の構造物側固定部が固定されているのが好ましい（請求項５）。
【発明の効果】
【００１６】
本発明によると、蝶番を閉じた状態で蝶番の扉側固定部と構造物側固定部の水平方向の相対位置を調整することができる。また、本発明によると、構造物側の扉取付部構成部材に対する扉の相対位置を、扉を閉じた状態で調整することができる。
【図面の簡単な説明】
【００１７】
【図１】本実施形態に係る蝶番で構造物に扉を取り付けた状態を示す斜視図であり、開扉状態を示す。
【図２】本実施形態に係る蝶番で構造物に扉を取り付ける直前の状態を示す斜視図である。
【図３】本実施形態に係る蝶番で構造物に扉を取り付けた状態を示す斜視図であり、閉扉状態を示す。
【図４】本実施形態に係る蝶番の受け側ユニットの斜視図である。
【図５】図４の受け側ユニットの分解斜視図である。
【図６】図５とは異なる方向から見た図４の受け側ユニットの分解斜視図である。
【図７】位置調整部材の渦巻状の係合部が、埋込部材側の一対の突部と係合している状態を示す背面図であり、（ａ）〜（ｃ）は、一対の突部に対して係合部の異なる部位が係合している状態を示す。
【図８】図４の受け側ユニットの側面図である。
【図９】図８において、着脱機構部の係合部材が筐体内に退入した状態を示す受け側ユニットの側面図である。
【図１０】ガイド部材が装着された状態の着脱機構部の斜視図である。
【図１１】着脱機構部からガイド部材を外した状態を示す斜視図である。
【図１２】図１１とは異なる方向から見た着脱機構部からガイド部材を外した状態を示す斜視図である。
【図１３】図１１の着脱機構部の分解斜視図である。
【図１４】図１３の着脱機構部をさらに分解した分解斜視図である。
【図１５】図１４の着脱機構部をさらに分解した分解斜視図である。
【図１６】図１５とは異なる方向から見た図１４の着脱機構部をさらに分解した分解斜視図である。
【図１７】図１１の位置調整機構部のＡ−Ａ断面図であり、係合部材が筐体から突出している状態を示す。
【図１８】図１７において、係合部材が筐体内に退入している状態を示す位置調整機構部の断面図である。
【図１９】本実施形態に係る蝶番の挿入側ユニットの斜視図であり、開扉時の一つの姿勢を示す。
【図２０】本実施形態に係る蝶番の挿入側ユニットの斜視図であり、閉扉時の姿勢を示す。
【図２１】図２０の姿勢の蝶番の挿入側ユニットにおいて、カバー部材を取り外した状態を示す斜視図である。
【図２２】本実施形態に係る蝶番の挿入側ユニットを、固定ユニットと可動ユニットに分離した状態を示す斜視図である。
【図２３】本実施形態に係る蝶番の挿入側ユニットの分解斜視図である。
【図２４】図２３とは異なる方向から見た蝶番の挿入側ユニットの分解斜視図である。
【図２５】挿入側ユニットの可動ユニットの上側の支持部材を下方側から見た斜視図である。
【図２６】挿入側ユニットの可動ユニットの位置調整部材の背面図であり、位置調整部材の渦巻状の突条と、揺動ガイド部材の一対の突起が係合している状態を示し、（ａ）〜（ｃ）は、一対の突起に対して渦巻状の突条の異なる部位が係合している状態を示す。
【図２７】挿入側ユニットにおいて、可動ユニットの固定部と、可動ユニット内部の揺動ガイド部材及び軸芯と、可動ユニットの可動部を示す平面図であり、（ａ）、（ｂ）は、固定部と可動部の相対位置が変化している状態を示す。
【図２８】挿入側ユニットにおける上下の支持部材と位置調整部材の関係を示す正面図である。
【図２９】本実施形態にかかる蝶番の受け側ユニットと挿入側ユニットが分離されている状態を示す斜視図である。
【図３０】本実施形態にかかる蝶番の受け側ユニットと挿入側ユニットが分離されている状態を示す平面図である。
【図３１】本実施形態にかかる蝶番の受け側ユニットと挿入側ユニットが結合した状態を示す斜視図である。
【図３２】構造物側に取り付けられた挿入側ユニットと、扉に装着された受け側ユニットが結合する直前の状態を示す平面視した断面図である。
【図３３】図３２に続き、挿入側ユニットと受け側ユニットが結合する途中の状態を示す平面視した断面図である。
【図３４】図３３に続き、挿入側ユニットと受け側ユニットが結合した状態を示す平面視した断面図である。
【図３５】蝶番を介して構造物に取り付けられた扉が、構造物の出入口を閉じた状態を示す平面視した断面図である。
【図３６】図３５に示す状態の扉を、構造物に対して左右方向の左方側に取り付け位置を調整した状態を示す平面視した断面図である。
【図３７】図３６に示す状態の扉を、構造物に対して前後方向の後方側に取り付け位置を調整した状態を示す平面視した断面図である。
【図３８】開扉時の蝶番の正面図である。
【図３９】開扉時の蝶番の正面図であり、図３８に示す扉の前後方向の位置を調整した状態を示す。
【図４０】構造物と扉の斜視図であり、閉扉状態の蝶番からカバー部材を取り外した状態を示す。
【図４１】構造物に固定される枠を構成する扉取付部構成部材と扉が、蝶番を介して連結されており、扉が開いている状態を示す斜視図である。
【図４２】図４１において、扉取付部構成部材と扉が分離している状態を示す斜視図である。
【図４３】図４２において、扉取付部構成部材が解体された状態を示す斜視図である。
【発明を実施するための形態】
【００１８】
以下、図面を参照しながら、本実施形態に係る蝶番１について説明する。
図１に示すように、蝶番１は、受け側ユニット２と挿入側ユニット３を有する。本実施形態では、受け側ユニット２を扉４に装着し、挿入側ユニット３を家屋等の構造物５に装着している。すなわち、本実施形態では、受け側ユニット２が扉側ユニットを構成し、挿入側ユニット３が構造物側ユニットを構成している。逆に、受け側ユニット２を構造物５に装着して構造物側ユニットとし、挿入側ユニット３を扉４に装着して扉側ユニットとしてもよい。すなわち、扉４は、蝶番付き扉である。扉４は、蝶番１を中心に回動し、図１に示す全開状態や、図３に示す全閉状態に姿勢を変更することができる。
【００１９】
図１に示すように、扉４を構造物５に取り付ける際には、受け側ユニット２を挿入側ユニット３に連結する。また、図２に示すように、扉４を構造物５から取り外す際には、受け側ユニット２と挿入側ユニット３を離間させる。すなわち、蝶番１は、受け側ユニット２と挿入側ユニット３を着脱することにより、構造物５に対して扉４を着脱することができる。
【００２０】
以下、受け側ユニット２と挿入側ユニット３の詳細な構造を説明し、続いて受け側ユニット２と挿入側ユニット３の着脱の仕方と、構造物５に対する扉４の取り付け位置の調整の仕方について順に説明する。
【００２１】
図４乃至図６に示すように、受け側ユニット２は、埋込部材６、化粧部材７、着脱機構部８を有している。
【００２２】
埋込部材６は、細長い板状の部材の中央部分が全幅に渡って略コの字状に凹んだ形状を呈している。埋込部材６の中央の凹みは、収容部９を構成している。また、埋込部材６の上下方向の両側には、フランジ部１０ａ、１０ｂが設けられている。すなわち収容部９は、フランジ部１０ａ、１０ｂの間に形成されている。フランジ部１０ａ、１０ｂには、埋込部材６を構造物５に固定するための孔が設けられている。
【００２３】
略コの字形の収容部９は、図５、図６に示すように、底壁部９ａと起立壁部９ｂ、９ｃを有している。起立壁部９ｂは、フランジ部１０ａと交差（直交）して連続している。また、起立壁部９ｃは、フランジ部１０ｂと交差（直交）して連続している。起立壁部９ｂ、９ｃは、離間して対向しており、両者は底壁部９ａを介して連続している。
【００２４】
底壁部９ａは、フランジ部１０ａ、１０ｂと平行な四角形の板状の部位であり、起立壁部９ｂ、９ｃと連続する辺と交差する両辺には、隆起部１１ａ、１１ｂが設けられている。隆起部１１ａ、１１ｂは、互いに平行であって、起立壁部９ｂ、９ｃの起立方向と同方向に隆起している。また、隆起部１１ａ、１１ｂは、埋込部材６の幅方向の両側付近に設けられており、起立壁部９ｂ、９ｃと直交する方向にのびるように形成されている。底壁部９ａには、さらに、一対の突起１２ａ、１２ｂが設けられている、突起１２ａ、１２ｂは、所定の間隔を置いて起立壁部９ｂ、９ｃの起立方向と同方向に突出している。
【００２５】
受け側ユニット２の化粧部材７は、細長い板状の部材である。化粧部材７は、埋込部材６の幅と同等の幅を有している。化粧部材７の両端は、固定部７ｂ、７ｃを構成しており、固定部７ｂ、７ｃの間の部位が閉塞部７ａを構成している。固定部７ｂ、７ｃには、埋込部材６のフランジ部１０ａ、１０ｂに設けられた孔に対応する孔が設けられている。また、閉塞部７ａには、幅方向に延びる長孔１３（貫通孔）が設けられている。
固定部７ｂ、７ｃと閉塞部７ａは、同一面上で直線状に並んでいる。固定部７ｂ、７ｃは、埋込部材６のフランジ部１０ａ、１０ｂと合致し、図示しないネジで扉４に固定される。
閉塞部７ａは、埋込部材６の収容部９と共に空間４４を形成する。すなわち閉塞部７ａによって、収容部９の開口が閉塞されて空間４４が形成されている。
【００２６】
受け側ユニット２の着脱機構部８は、図５、図６、図１０乃至図１２に示すように、ガイド部材１４ａ、１４ｂと、位置調整機構部１５を備えている。
【００２７】
位置調整機構部１５は、着脱機構部８の位置調整機能を発揮する部材であり、略四角柱形状の外形を呈する筐体１６（図１１乃至図１６）を有している。図１１乃至図１６に示すように、筐体１６は、本体１６ａと蓋体１６ｂで構成されている。
本体１６ａは、略四角柱状の外形を有し、図１４、図１５に示すように、中央に配置部１７が設けられている。配置部１７は、本体１６ａを貫通する孔であり、一方の開口には内向きのフランジ部１８が設けられている。また、図１４、図１５に示すように、配置部１７には、一方の開口側から他方の開口側へのびる突条部１９（凸部）が設けられている。
また、本体１６ａの配置部１７の上下の位置には、ネジ穴２０ａ、２０ｂが設けられている。
【００２８】
蓋体１６ｂは、図１３乃至図１６に示すように板状の部材であり、本体１６ａの配置部１７の一方の開口を閉じる機能を有する。
蓋体１６ｂの中央には、係合孔２１が設けられている。係合孔２１は、バーリング加工されており、孔が立ち上がり加工されている。すなわち、係合孔２１は、短い筒構造を呈している。
【００２９】
係合孔２１の上下の位置には、ネジ２３ａ、２３ｂを通す孔２２ａ、２２ｂが設けられている。孔２２ａ、２２ｂは、本体１６ａのネジ穴２０ａ、２０ｂと一致する。そして、ネジ２３ａ、２３ｂによって本体１６ａと蓋体１６ｂを一体化することができる。
【００３０】
本体１６ａの配置部１７には、図１５、図１６に示す位置調整部材２４、ばね２５、係合部材２６が配置されている。
【００３１】
位置調整部材２４は、環状の外周部２７と、平板状の基部２８と、軸部２９と、渦巻状の係合部３０を備えている。
【００３２】
外周部２７は、円筒構造を呈している。外周部２７の外周面には、凹凸が設けられている。すなわち、外周部２７の外周面には、凸部２７ａと凹部２７ｂが周方向に交互に連続して設けられている。換言すると、隣接する凸部２７ａ同士の間に凹部２７ｂが形成されている。各凸部２７ａは、外周部２７の軸方向にのびる突条である。凹部２７ｂは、隣接する凸部２７ａに沿った溝である。凸部２７ａと凹部２７ｂは、位置調整部材２４の中心角が等角度間隔で連続している。
【００３３】
基部２８は、円板形状を呈する部位であり、円板の外周部分が外周部２７と連続している。すなわち基部２８は、外周部２７で形成された筒状空間の開口の一方側を閉塞しており、位置調整部材２４の底部（背面壁）を構成している。
【００３４】
図１５に示すように、基部２８における環状の外周部２７の内側の面には、軸部２９が設けられている。軸部２９の中心は、環状の外周部２７の中心と一致している。軸部２９の一端は、基部２８に一体化されており、軸部２９の自由端側の端部には、操作穴２９ａが設けられている。操作穴２９ａは、六角穴であり、六角レンチと係合することができる。
【００３５】
図１６に示すように、基部２８における外周部２７の外側の面には、係合部３０が設けられている。係合部３０は、渦巻状の突条であり、基部２８の中心側から外周側に向かって渦を描いている。係合部３０には閉塞部３０ａが設けられている。閉塞部３０ａは、係合部３０の渦の外側の開口を閉じている。すなわち、係合部３０の渦状の突条の内側と外側は遮断されている。
【００３６】
係合部３０は、渦状の突条であるため、係合部３０の各部位から、基部２８（位置調整部材２４）の中心までの距離は相違している。すなわち、係合部３０の各部位から基部２８（位置調整部材２４）の中心までの距離は一様ではなく、渦の中心側から外側へいくほど基部２８の中心からの距離は長い。
【００３７】
位置調整機構部１５のばね２５は、螺旋構造の圧縮ばねであり、軸部２９（図１５）の周囲に外嵌するように配置されている。すなわち、ばね２５の一端は基部２８に当接している。また、ばね２５の他端は、後述の係合部材２６に当接している。
【００３８】
位置調整機構部１５の係合部材２６は、内部に貫通孔４３を有する筒状の部材である。係合部材２６の一端側には外向きフランジ部２６ａが設けられており、他端側には内向きフランジ部２６ｂが設けられている。貫通孔４３の内径は、ばね２５の外径よりは若干大きい。よって、貫通孔４３内にはばね２５を配置することができる。
【００３９】
係合部材２６の外向きフランジ部２６ａの外径は、位置調整部材２４の外周部２７の内径よりも若干小さい。すなわち、外向きフランジ部２６ａは、外周部２７内で円滑に移動することができる。
【００４０】
また、内向きフランジ部２６ｂは、貫通孔４３の他端側の開口４３ａを狭めている。すなわち、内向きフランジ部２６ｂは、貫通孔４３の開口４３ａの縁から半径方向内方へ環状に突出している。この内向きフランジ部２６ｂには、前述のばね２５の他端が当接している。図１５に示すように、内向きフランジ部２６ｂの外側の面は、曲面を構成して丸みを帯びている。すなわち、内向きフランジ部２６ｂの外面の、外周側から内周側にかけて滑らかな曲面が形成されている。換言すると、内向きのフランジ部２６ｂの外面は、端へいくほど小径になるように滑らかに湾曲した曲面を構成している。
【００４１】
さらに、筒状の係合部材２６の外径は、蓋体１６ｂの係合孔２１にちょうど挿通可能な大きさである。すなわち、係合部材２６は、蓋体１６ｂの係合孔２１から突出することができる。また、外向きフランジ部２６ａは、係合孔２１の内径よりも大きい。
【００４２】
以上説明した受け側ユニット２の位置調整機構部１５の各部材同士は、次のように構成されている。
【００４３】
本体１６ａの配置部１７に位置調整部材２４が配置されている。図６、図１２に示すように、位置調整部材２４の基部２８（係合部３０より外周側の部位）が、配置部１７に設けられた内向きのフランジ部１８に当接している。
【００４４】
位置調整部材２４の軸部２９（図１５）にはばね２５が外嵌しており、ばね２５の一端が位置調整部材２４の基部２８に当接している。また、筒状の係合部材２６が、ばね２５に外嵌するように配置されている。すなわち、係合部材２６の貫通孔４３内には、位置調整部材２４の軸部２９とばね２５が配置されている。係合部材２６、軸部２９、ばね２５は、同芯状に配置されている。ばね２５の他端は係合部材２６の内向きフランジ部２６ｂの内面に当接している。すなわち、ばね２５は、基部２８と係合部材２６の内向きフランジ部２６ｂの間に配置（縮設）されている。
【００４５】
本体１６ａのネジ穴２０ａ、２０ｂと蓋体１６ｂの孔２２ａ、２２ｂが一致しており、これらにネジ２３ａ、２３ｂが挿通されて本体１６ａと蓋体１６ｂが一体化され、筐体１６（支持体）が構成されている。すなわち、筐体１６内に位置調整部材２４（回転体）、ばね２５、係合部材２６が収容されている。そして、図１７に示すように、ばね２５によって押圧された係合部材２６が、蓋体１６ｂの係合孔２１から突出している。ばね２５に付勢されて、係合部材２６の外向きフランジ部２６ａが蓋体１６ｂの係合孔２１の外周部分に当接し、係合部材２６は係合孔２１から突出した状態で停止している。
【００４６】
すなわち、位置調整部材２４の係合部材２６（係合部）が係合孔２１を挿通しており、位置調整部材２４の係合部３０（渦巻状の突条）が埋込部材６の一対の突起１２ａ、１２ｂに係合している。よって、位置調整部材２４の正面側と背面側の両側が支持されている。すなわち、位置調整部材２４の正面側が蓋体１６ｂの係合孔２１によって支持されており、背面側が埋込部材６によって支持されている。筐体１６（蓋体１６ｂ）は、埋込部材６（突起１２ａ、１２ｂ）と共に位置調整部材２４を回転可能に支持している。換言すると、位置調整部材２４（回転体）は、筐体１６及び埋込部材６（受け側ユニット２）に対して回転可能である。
【００４７】
係合部材２６は、ばね２５の押圧力に抗して押圧されると、図１８に示すように、筐体１６内に退入することができる。その際、係合部材２６は、係合孔２１の内壁に沿って真っ直ぐに移動することができる。ばね２５は、圧縮された状態であり、係合部材２６に対する外力がなくなると、ばね２５は係合部材２６を押し出し、係合部材２６は図１７に示すように係合孔２１から突出する。
【００４８】
筐体１６内の位置調整部材２４（回転体）は、図１３に示すように、外周部２７の凸部２７ａ、凹部２７ｂが、本体１６ａの突条部１９と係合している。そのため、突条部１９（凸部）によって、位置調整部材２４の回転には節度が付与されている。位置調整部材２４の外周部２７と突条部１９は常時係合している。
【００４９】
位置調整機構部１５の筐体１６には、図１０乃至図１２に示すガイド部材１４ａ、１４ｂが外嵌している。
【００５０】
ガイド部材１４ａは、中央壁部３１ａ、上壁部３２ａ、下壁部３３ａ、中央当接部３４ａ、上部当接部３５ａ、下部当接部３６ａを有している。
【００５１】
中央壁部３１ａは、図１０、図１１に示すように、筐体１６の蓋体１６ｂに当接する板状の部位である。中央壁部３１ａには、切欠部３７ａが設けられている。切欠部３７ａは、中央壁部３１ａの一方側の端部に形成された凹部である。
中央壁部３１ａの上部には、中央壁部３１ａと直交する上壁部３２ａが連続している。また、中央壁部３１ａの下部には、中央壁部３１ａと直交する下壁部３３ａが連続している。上壁部３２ａと下壁部３３ａは互いに離間して対向している。すなわち、中央壁部３１ａ、上壁部３２ａ、下壁部３３ａは、略コの字形を呈している。
【００５２】
図１１、図１２に示すように、上壁部３２ａには、上部当接部３５ａが設けられており、下壁部３３ａには、下部当接部３６ａが設けられている。上部当接部３５ａは、上壁部３２ａの他方側（切欠部３７ａが設けられた側とは反対側）の端部において、上壁部３２ａよりもさらに上方へ突出しており、下部当接部３６ａは、下壁部３３ａの他方側（切欠部３７ａが設けられた側とは反対側）の端部において、下壁部３３ａよりもさらに下方へ突出している。すなわち、上部当接部３５ａの真下の位置に下部当接部３６ａが設けられている。
【００５３】
上部当接部３５ａには、上方に突出する係合突起３８ａが設けられている。図示していないが、下部当接部３６ａにも、係合突起３８ａと同様の突起が下方に突出するように設けられている。
【００５４】
中央壁部３１ａには、中央当接部３４ａが設けられている。中央当接部３４ａは、中央壁部３１ａと直交しており、中央壁部３１ａの他方側（切欠部３７ａが設けられた側とは反対側）の端部から上壁部３２ａ及び下壁部３３ａとは反対側へ突出している。中央当接部３４ａは、上部で上部当接部３５ａと連続しており、下部で下部当接部３６ａと連続している。すなわち、中央当接部３４ａ、上部当接部３５ａ、下部当接部３６ａは、同一の鉛直面内に配置されている。
【００５５】
ガイド部材１４ａの切欠部３７ａの上部及び下部の端部には、それぞれフック部４０ａ、４０ｂが設けられている。
【００５６】
ガイド部材１４ｂは、ガイド部材１４ａと同様の構造を有している。すなわち、ガイド部材１４ｂは、中央壁部３１ｂ、上壁部３２ｂ、下壁部３３ｂ、中央当接部３４ｂ、上部当接部３５ｂ、下部当接部３６ｂ、切欠部３７ｂ、フック部４１ａ、４１ｂを有しており、ガイド部材１４ａと略左右対称の関係にある。
【００５７】
図１０に示すように、ガイド部材１４ｂの係合突起３８ｂに、遮蔽部材３９の係合凹部３９ａが係合し、ガイド部材１４ｂの端部が遮蔽されている。すなわち、図１１に示す上壁部３２ｂ、中央壁部３１ｂ、下壁部３３ｂで形成されたコの字形の凹部の端部がガイド部材１４ｂで閉鎖されている。
【００５８】
そして、ガイド部材１４ａとガイド部材１４ｂは、位置調整機構部１５（筐体１６）の両側から互いに係合して一体化する。すなわち、ガイド部材１４ａのフック部４０ａ、４０ｂと、ガイド部材１４ｂのフック部４１ａ、４１ｂが係合することにより、ガイド部材１４ａ、１４ｂは、互いに左右方向に離間不能になる。
【００５９】
図１０に示すように、ガイド部材１４ａ、１４ｂが一体化されると、ガイド部材１４ａの中央壁部３１ａ、上壁部３２ａ、下壁部３３ａと、ガイド部材１４ｂの中央壁部３１ｂ、上壁部３２ｂ、下壁部３３ｂが連続する。すなわち、中央壁部３１ａ、３１ｂ、上壁部３２ａ、３２ｂ、下壁部３３ａ、３３ｂによって、上下と一方の側方が仕切られた略コの字形の凹部４２（受け部）が形成される。凹部４２の一端は、遮蔽部材３９によって閉塞されている。
【００６０】
また、ガイド部材１４ａ、１４ｂが一体化されると、ガイド部材１４ａの切欠部３７ａと、ガイド部材１４ｂの切欠部３７ｂが連続し、全体として一つの貫通孔３７が形成される。貫通孔３７は、凹部４２と連通している。
なお、本実施形態では、別体のガイド部材１４ａ、１４ｂを一体化する構造を採用したが、これらは一体構造の部材であっても差し支えない。
【００６１】
着脱機構部８は、位置調整機構部１５の筐体１６が、ガイド部材１４ａ、１４ｂの中央当接部３４ａ、３４ｂ（図１２）の間に配置された構造を有している。筐体１６の蓋体１６ｂが、中央壁部３１ａ、３１ｂと対面（接触）している。位置調整機構部１５（筐体１６）の幅は、中央当接部３４ａ、３４ｂの間隔よりも若干小さい。すなわち、位置調整機構部１５（支持体である筐体１６）は、対向する中央当接部３４ａ、３４ｂの間で、受け側ユニット２に対して相対移動が可能であり、位置調整機構部１５の左右方向の移動は、中央当接部３４ａ、３４ｂによって規制されている。
【００６２】
また、図１０に示すように、位置調整機構部１５の係合部材２６が、貫通孔３７を貫通して凹部４２に突出している。
【００６３】
受け側ユニット２は、図４乃至図６に示すように、埋込部材６と化粧部材７の間に着脱機構部８を配置した構造を有している。すなわち、埋込部材６の収容部９に着脱機構部８の位置調整機構部１５が配置されており、ガイド部材１４ａ、１４ｂの上部当接部３５ａ、３５ｂと下部当接部３６ａ、３６ｂが、埋込部材６の起立壁部９ｂ、９ｃ、及びフランジ部１０ａ、１０ｂの縁に近接又は当接している。すなわち、着脱機構部８（ガイド部材１４ａ、１４ｂ）は、埋込部材６に対してほとんど自由度がない。
【００６４】
また、位置調整機構部１５（筐体１６）の両側には、図５に示す埋込部材６の隆起部１１ａ、１１ｂが配置されている。すなわち、位置調整機構部１５は、隆起部１１ａ、１１ｂの間、及びガイド部材１４ａ、１４ｂ（中央当接部３４ａ、３４ｂ）の間で左右に移動することができる。
【００６５】
着脱機構部８を埋込部材６の収容部９に配置すると、渦巻状の突条である係合部３０の一部が、収容部９の底壁部９ａの突起１２ａ、１２ｂの間に配置される。すなわち、図７に示すように、突起１２ａ、１２ｂの間に係合部３０が嵌まり（挟まり）、突起１２ａ、１２ｂと係合部３０が係合する。そのため、位置調整部材２４が回転すると、係合部３０は、突起１２ａ、１２ｂの間を走行する。
【００６６】
また、図８に示すように、凹部４２の断面視してコの字の開口部分は、化粧部材７の閉塞部７ａによって閉塞されており、断面四角形の筒状の空間４４が形成されている。空間４４には、後述の挿入側ユニット３の挿入部５６（図２）を挿入可能である。なお、図８では、遮蔽部材３９の描写を省略している。
【００６７】
受け側ユニット２の埋込部材６は、扉４（図２）の端面に埋設されており、扉４に装着された埋込部材６に対して化粧部材７が固定（ネジ止め）されている。すなわち、受け側ユニット２は、化粧部材７が扉４の端面と同一面となるように扉４に装着されている。
【００６８】
次に、蝶番１の挿入側ユニット３について説明する。
図１、図２に示すように、挿入側ユニット３は、構造物５に一体化された固定部材４５（扉取付部構成部材）にネジ止め等の固定手段によって固定されている。固定部材４５は、金属等の剛性を有する素材で構成されている。固定部材４５は、挿入側ユニット３を取り付ける取付面４５ａを有している。
【００６９】
図１９、図２０に示すように、挿入側ユニット３は、固定ユニット４６と可動ユニット４７を有している。すなわち、挿入側ユニット３は、固定ユニット４６と可動ユニット４７が連結された構造を呈している。
【００７０】
図２３に示すように、固定ユニット４６は、固定部５１、軸芯６１、支持部材６２ａ、６２ｂ、揺動ガイド部材６４、蓋部材６６ａ、６６ｂ等を有している。
【００７１】
固定部５１は、取付部５１ａと連結部５１ｂを有している。
取付部５１ａは、板状の部位であり、ネジを通す複数の孔５４が設けられている。取付部５１ａは、固定部５１（挿入側ユニット３）における、図１に示す構造物５に固定された固定部材４５の取付面４５ａにネジ止めされる部位である。すなわち、取付部５１ａは、挿入側ユニット３における構造物側固定部を構成している。
連結部５１ｂは、挿通部５５ａ、５５ｂを有している。図２３に示すように挿通部５５ａ、５５ｂは、筒形状を呈した部位であり、互いに上下の位置関係にある。すなわち、挿通部５５ａ真下に間隔を置いて挿通部５５ｂが設けられており、両者の中心は一致している。挿通部５５ａ、５５ｂは、板状の取付部５１ａの一方側の側辺に設けられている。すなわち、挿通部５５ａ、５５ｂは、取付部５１ａに対して片持ち状に一体化されている。
【００７２】
軸芯６１は、細長い円柱状の部材であり、鉛直姿勢で配置されている。
【００７３】
支持部材６２ａ、６２ｂは円柱形状の外形を有している。支持部材６２ａ、６２ｂの外周には、弾性を有する環状部材７１ａ、７１ｂが取り巻いている。また、支持部材６２ａ、６２ｂには、軸芯支持部７２ａ、７２ｂが設けられている。
【００７４】
軸芯支持部７２ａ、７２ｂは筒状であり、穴７３ａ、７３ｂを有する。ただし、図示の都合上、穴７３ａは描写していない。軸芯支持部７２ａ、７２ｂは支持部材６２ａ、６２ｂの中心に配置されている。軸芯支持部７２ａは、支持部材６２ａの下面に設けられており、下方に突出している。また、軸芯支持部７２ｂは、支持部材６２ｂの上面に設けられており、上方に突出している。すなわち、軸芯支持部７２ａの穴７３ａは下向きの有底穴であり、軸芯支持部７２ｂの穴７３ｂは上向きの有底穴である。
【００７５】
揺動ガイド部材６４（構造物側構成部、揺動体、位置調整機構）は、略直方体形状を呈する部材であり、縦長方向が鉛直方向を向くように配されている。揺動ガイド部材６４には貫通孔６４ａが設けられている。貫通孔６４ａは、揺動ガイド部材６４の上下方向に沿ってのびており、揺動ガイド部材６４における上下両側の面に開口している。すなわち、貫通孔６４ａは、上下方向にのび、揺動ガイド部材６４の上面と下面に開口している。
【００７６】
揺動ガイド部材６４の四つの側面のうちの比較的面積が大きい一方の側面７６ａ（以下、正面壁７６ａと称する。）には、一対の突起７７ａ、７７ｂが設けられている。突起７７ａ、７７ｂは、正面壁７６ａの一端側に偏った位置に設けられている。
【００７７】
また、正面壁７６ａの上部と下部には、それぞれ上部突起７８ａ、下部突起７８ｂが設けられている。上部突起７８ａは、正面壁７６ａの上端の縁に沿って形成されており、下部突起７８ｂは、正面壁７６ａの下端の縁に沿って形成されている。上部突起７８ａと下部突起７８ｂは上下に対向しており、両突起の対向面は湾曲している。すなわち、上部突起７８ａ、下部突起７８ｂの各対向面は、正面壁７６ａを正面視すると、共通の円の円周上に配置されており、同じ大きさの円弧を描いている。
【００７８】
揺動ガイド部材６４の正面壁７６ａの反対側の背面壁７６ｂは、図２４に示すように平坦面である。
【００７９】
蓋部材６６ａ、６６ｂは、挿入部７４ａ、７４ｂと、フランジ部７５ａ、７５ｂを有している。挿入部７４ａ、７４ｂは、固定部５１の挿通部５５ａ、５５ｂに装着される部位である。フランジ部７５ａ、７５ｂは、挿通部５５ａ、５５ｂの外観を整える（美化する）ものであり、挿通部５５ａ、５５ｂの外径と同程度の外径を有する。
【００８０】
以上説明した各部材は、次のように固定ユニット４６を構成している。
【００８１】
固定部５１の挿通部５５ａ、５５ｂには支持部材６２ａ、６２ｂが装着されている。
すなわち、支持部材６２ａ、６２ｂは、挿通部５５ａ、５５ｂに圧入されており、環状部材７１ａ、７１ｂが、挿通部５５ａ、５５ｂの内周面に押圧されて、支持部材６２ａ、６２ｂが挿通部５５ａ、５５ｂ内に固定されている。支持部材６２ａ、６２ｂの軸芯支持部７２ａ、７２ｂ（穴７３ａ、７３ｂ）は、互いに対向しており、穴７３ａ、７３ｂの中心は一致している。また、軸芯支持部７２ａ、７２ｂの間隔は、揺動ガイド部材６４の上下方向の長さと略一致している。
【００８２】
揺動ガイド部材６４の貫通孔６４ａには軸芯６１が挿通されている。軸芯６１は、貫通孔６４ａにちょうど挿通される大きさの外径を有している。すなわち、揺動ガイド部材６４と軸芯６１は、水平方向にガタつくことがない。
【００８３】
支持部材６２ａは軸芯６１の上端を支持しており、支持部材６２ｂは軸芯６１の下端を支持している。すなわち、軸芯６１の両端は、支持部材６２ａ、６２ｂで支持されており、軸芯６１は鉛直姿勢を呈している。支持部材６２ａ、６２ｂに支持された軸芯６１は、固定部５１の挿通部５５ａ、５５ｂの中心と一致している。
【００８４】
蓋部材６６ａは、固定部５１の挿通部５５ａの上側の開口に装着されており、蓋部材６６ｂは、挿通部５５ｂの下側の開口に装着されている。すなわち、蓋部材６６ａ、６６ｂは、挿通部５５ａの上側の開口と、挿通部５５ｂの下側の開口を閉じ、固定ユニット４６の外観を整えている。
【００８５】
次に、挿入側ユニット３の可動ユニット４７について説明する。
図２３に示すように、可動ユニット４７は、可動部５２、支持部材６３ａ、６３ｂ、位置調整部材６５、カバー６０等を有している。
【００８６】
可動部５２は、四角形の板状の挿入部５６と、筒状の挿通部５７を有している。挿入部５６の一辺が、挿通部５７の側面と連続して一体化されている。
【００８７】
挿入部５６の横断面は、空間４４（図８）の横断面よりも若干小さい。すなわち、挿入部５６は、空間４４に挿通可能な横断面形状を有している。
【００８８】
挿入部５６には係合孔５６ａが設けられている。係合孔５６ａの内径は、着脱機構部８（図５）の係合部材２６の外径よりも若干大きい。また、係合孔５６ａは、挿入部５６を空間４４（図８）に挿通した際に、係合部材２６と一致して係合可能な位置に設けられている。
【００８９】
挿通部５７は、筒形状を呈する部位であり、挿入部５６の一端と連続している。挿通部５７の高さ寸法は、固定部５１の挿通部５５ａ、５５ｂの間隔と略一致している。すなわち、挿通部５７は、挿通部５５ａ、５５ｂの間にちょうど配置可能である。挿通部５７は、上下方向に貫通する孔を有している。
【００９０】
挿通部５７の内部には、図２３、図２４に示すように、厚肉部５８ａ、５８ｂが形成されている。厚肉部５８ａ、５８ｂは、挿通部５７の一方側の開口側から他方側の開口側へのびる平面８５ａ、８５ｂと、当該平面８５ａ、８５ｂと直交する平面８６ａ、８６ｂを有している。
【００９１】
平面８５ａ、８５ｂは鉛直面であり、平面８６ａ、８６ｂは水平面である。平面８６ａ（水平面）は、平面８５ａ（鉛直面）の上下に連続して設けられている。同様に、平面８６ｂ（水平面）は、平面８５ｂ（鉛直面）の上下に設けられている。厚肉部５８ａ、５８ｂの平面８５ａ、８５ｂは、挿通部５７内で互いに離間して対向している。また、平面８６ａ、８６ｂには、上下方向のネジ穴が設けられている。
【００９２】
挿通部５７の筒状の側壁５７ａには、孔５９が設けられている。孔５９は、側壁５７ａ（厚肉部５８ｂ）を貫通して挿通部５７内で厚肉部５８ｂの鉛直の平面８５ｂ（図２４）に開口しており、その軸線（中心線）上には厚肉部５８ａの鉛直の平面８５ａ（図２３）がある。孔５９の軸線は、厚肉部５８ａ、５８ｂの平面８５ａ、８５ｂ（鉛直面）と直交している。
【００９３】
また、可動部５２の挿通部５７には、側壁５７ａの周囲を覆うカバー６０が装着されている。カバー６０は、自然状態で中心角が１８０度〜３６０度（好ましくは２００度〜２７０度）程度の円弧状の横断面を有する湾曲した板状の部材である。カバー６０は、弾性を有しており、接近した両端６０ａ、６０ｂの間隔を広げるように変形させることができる。すなわち、カバー６０を側壁５７ａに対して着脱する際には、両端６０ａ、６０ｂの間隔を広げる。カバー６０は、側壁５７ａの孔５９を覆って隠すことができる。
【００９４】
支持部材６３ａは、水平姿勢のガイド部６７ａと、鉛直姿勢の摺動部６８ａ、６９ａを有している。
ガイド部６７ａは円板状を呈する部位であり、ガイド部６７ａの中央部分には長孔７０ａが設けられている。また、長孔７０ａの両側に一対の孔８７ａ（貫通孔）が設けられている。
【００９５】
摺動部６８ａ、６９ａは、ガイド部６７ａと直交する平板状の部位である。換言すると、ガイド部６７ａは、支持部材６３ａのフランジを構成し、当該フランジに対して摺動部６８ａ、６９ａが直交するように設けられている。すなわち、摺動部６８ａ、６９ａの上端が、ガイド部６７ａの下面と一体化されている。
【００９６】
摺動部６８ａ、６９ａは、離間していて互いに平行である。摺動部６８ａ、６９ａは、長孔７０ａの長径方向と平行であり、それぞれ長孔７０ａと孔８７ａの間に設けられている。摺動部６８ａは、摺動部６９ａよりもガイド部６７ａからの垂下長さが若干長い。また、摺動部６９ａの自由端には、両側から中央へいくほど凹む凹部８９ａ（図２５）が形成されている。凹部８９ａの湾曲の中央部分には、突部７９（図２５）が設けられている。突部７９は、凹部８９ａの湾曲の半径方向内方に突出している。さらに、摺動部６９ａには孔８８（図２５）が設けられている。孔８８は、突部７９の直上の位置に設けられている。すなわち、孔８８が設けられたことによって、摺動部６９ａには薄肉部９０が形成されている。突部７９は、薄肉部９０に設けられている。
【００９７】
摺動部６８ａ、６９ａの間の距離は、図２３、図２４に示す前述の揺動ガイド部材６４の正面壁７６ａ（上部突起７８ａ及び下部突起７８ｂの先端）から背面壁７６ｂまでの長さと略一致している。すなわち、摺動部６８ａ、６９ａの間には、揺動ガイド部材６４をちょうど配置することができる。
【００９８】
支持部材６３ｂは、支持部材６３ａと同様の構造を有しており、向きは上下逆向きである。本実施形態では、下側の支持部材６３ｂの凹部８９ｂ（図２３）には、上側の支持部材６３ａの凹部８９ａの突部７９（図２５）に相当する突起は設けられていない。また、下側の支持部材６３ｂの凹部８９ｂには、上側の支持部材６３ａの孔８８（図２５）に相当する孔も設けられていない。各図では、支持部材６３ｂにおける支持部材６３ａと同様の構成には同じ番号を付し、当該番号の末尾には「ａ」の代わりに「ｂ」を付した。ここでは、支持部材６３ｂについて重複する説明は省略する。
【００９９】
位置調整部材６５（扉側構成部）は、正面と背面と外周面を有する肉厚のある円板状の部材である。位置調整部材６５の円形の外周面には凹凸８０が形成されている。凹凸８０は、等間隔の凸部と凹部が滑らかに連続した構造を有する。
【０１００】
また、位置調整部材６５の正面（一方側の面）の中心には筒状の操作部８１が設けられている。すなわち、操作部８１は、位置調整部材６５の中心部から軸芯方向にのびて筒形状を呈する部位である。操作部８１の筒の内部には係合穴８１ａが設けられている。係合穴８１ａは、工具と係合する横断面形状（開口形状）を有する。例えば、工具が六角レンチの場合には、係合穴８１ａは六角穴である。
【０１０１】
さらに、位置調整部材６５の背面（他方側の面）には、図２４に示すように、渦巻状の突条８２が設けられている。突条８２は、位置調整部材６５の背面の内周側から外周側へいくほど徐々に中心からの距離が大きくなっている。突条８２のライン幅（渦を描く線の幅）は一様であり、前述の揺動ガイド部材６４の突起７７ａ、７７ｂの間隔と略一致している。すなわち、図２６（ａ）に示すように、揺動ガイド部材６４の突起７７ａ、７７ｂ（図２３）の間に、位置調整部材６５の突条８２が挟まれた状態を維持しながら、位置調整部材６５を回転させることができる。そして、揺動ガイド部材６４と位置調整部材６５は、前述の着脱機構部８に設けられた位置調整部材２４による調整方向（扉４の前後方向）とは交差（直交）する方向（扉４の左右方向）に調整する交差方向調整機構を構成している。
【０１０２】
次に、可動ユニット４７の組立構造について説明する。
可動部５２の挿通部５７（連結部）内には、揺動ガイド部材６４（構造物側構成部、揺動体、位置調整機構）が配置されている。図２２は、挿通部５７内の揺動ガイド部材６４を抜き出した状態を示している。揺動ガイド部材６４の貫通孔６４ａには軸芯６１が挿通されている。軸芯６１は、揺動ガイド部材６４の上下の両側に突出している。
【０１０３】
図２２に示すように、挿通部５７の上側の開口には支持部材６３ａが嵌め込まれている。図２３に示す支持部材６３ａの摺動部６８ａは、挿通部５７内の厚肉部５８ａの平面８５ａ（鉛直面）に当接しており、摺動部６９ａは厚肉部５８ｂの平面８５ｂ（図２４）に当接している。また、厚肉部５８ａ、５８ｂの上側の平面８６ａ、８６ｂにガイド部６７ａの下面が当接しており、ガイド部６７ａが厚肉部５８ａ、５８ｂ（可動部５２）にネジ８３で固定されている。
【０１０４】
同様に、挿通部５７の下側の開口には支持部材６３ｂが嵌め込まれている。厚肉部５８ａ、５８ｂの下側の平面８６ａ、８６ｂにガイド部６７ｂの上面が当接しており、ガイド部６７ｂが厚肉部５８ａ、５８ｂ（可動部５２）にネジ８４で固定されている。
【０１０５】
支持部材６３ａ、６３ｂの摺動部６８ａ、６８ｂは、厚肉部５８ａの鉛直面（平面８５ａ）に沿っていて、同一の鉛直面内に配置されており、図２７（ａ）に示すように、摺動部６８ａ、６８ｂと揺動ガイド部材６４の背面壁７６ｂが接触（当接）している。同様に、支持部材６３ａ、６３ｂの摺動部６９ａ、６９ｂは、厚肉部５８ｂの鉛直面（平面８５ｂ）に沿っていて、同一の鉛直面内に配置されており、摺動部６９ａ、６９ｂと揺動ガイド部材６４の正面壁７６ａの上部突起７８ａ及び下部突起７８ｂが接触（当接）している。
【０１０６】
図２７（ａ）に示すように、揺動ガイド部材６４の上部（正面壁７６ａの上部突起７８ａと背面壁７６ｂの上部）は、支持部材６３ａの摺動部６８ａと摺動部６９ａの間に配置されている。揺動ガイド部材６４の下部（正面壁７６ａの下部突起７８ｂと背面壁７６ｂの下部）は、支持部材６３ｂの摺動部６８ｂと摺動部６９ｂの間に配置されている。
【０１０７】
軸芯６１は、支持部材６３ａの長孔７０ａと、支持部材６３ｂの長孔７０ｂを貫通しており、長孔７０ａ、７０ｂに沿って長孔７０ａ、７０ｂ（図２２乃至図２４）の長径方向に往復移動が可能である。
【０１０８】
軸芯６１の上端は、支持部材６２ａの図２２に示す軸芯支持部７２ａの穴７３ａに挿通されている。すなわち、軸芯６１の上端は、支持部材６２ａで支持されている。支持部材６２ａは、固定部５１の連結部５１ｂの挿通部５５ａ内に圧入されている。同様に、軸芯６１の下端は、支持部材６２ｂの図２２に示す軸芯支持部７２ｂの穴７３ｂに挿通されている。すなわち、軸芯６１の下端は、支持部材６２ｂで支持されている。支持部材６２ｂは、固定部５１の連結部５１ｂの挿通部５５ｂ内に圧入されている。すなわち、軸芯６１の上下の両端部が、固定部５１側に支持されている。
よって、揺動ガイド部材６４を上下に貫通した軸芯６１の上下の両端は、軸芯支持部７２ａ、７２ｂによって支持されている。
【０１０９】
また、図２７（ａ）に示すように、揺動ガイド部材６４の幅（正面壁７６ａ及び背面壁７６ｂの水平方向長さ）は、挿通部５７の内径（厚肉部５８ａ、５８ｂの存在しない部分の内径）よりも小さい。長孔７０ａ、７０ｂ（図２２）の長径方向と、正面壁７６ａ及び背面壁７６ｂの水平方向は一致している。
【０１１０】
図２８に示すように、支持部材６３ａ、６３ｂの凹部８９ａ、８９ｂは、位置調整部材６５の外周部分（凹凸８０）に沿っており、凹部８９ａ、８９ｂと凹凸８０の間には隙間が形成されている。また、凹部８９ａの中央に設けられた突部７９は、位置調整部材６５の凹凸８０と係合している。
【０１１１】
図２１、図２２に示すように、可動部５２の挿通部５７の孔５９と、位置調整部材６５（扉側構成部）の操作部８１は一致している。すなわち、筒状の操作部８１は、孔５９の外側に突出していないが、係合穴８１ａに外部から孔５９を介してアクセス可能である。普段は、孔５９は、カバー６０で覆われている。すなわち、図２０に示すように、挿通部５７の外周部分には、カバー６０が着脱可能に装着されている。よって、蝶番１の外観は、カバー６０で美観が保たれている。
【０１１２】
位置調整部材６５（扉側構成部）の正面側の操作部８１（図２１、図２３）は、可動部５２（挿通部５７）の孔５９で支持されている。また、位置調整部材６５（扉側構成部）の背面側の渦巻状の突条８２（図２４、図２６）が、揺動ガイド部材６４（構造物側構成部）の一対の突起７７ａ、７７ｂ（図２２、図２３）に係合している。すなわち、位置調整部材６５の背面側は、揺動ガイド部材６４によって支持されている。よって、位置調整部材６５の正面側と背面側が、挿通部５７（連結部）内で支持されている。
【０１１３】
位置調整部材６５は、揺動ガイド部材６４と共に固定ユニット４６（図２３）に対して、可動ユニット４７（図２３）を扉の左右方向（チリ方向）の位置を調整する機能を発揮することができる。
すなわち、位置調整部材６５と揺動ガイド部材６４は、位置調整機構部１５が受け側ユニット２に対して挿入側ユニット３の位置を調整する方向と直交する方向の位置を調整する交差方向調整機構を構成している。
【０１１４】
図２１に示すように、挿通部５７が、挿通部５５ａ、５５ｂの間に配置されている。挿通部５７の上下寸法は、挿通部５５ａ、５５ｂの間隔と略一致している。すなわち、挿通部５７は、挿通部５５ａ、５５ｂの間にちょうど配置することができる。
【０１１５】
挿通部５５ａの上側の開口には蓋部材６６ａが装着されている。また、挿通部５５ｂの下側の開口には蓋部材６６ｂが装着されている。蓋部材６６ａ、６６ｂは、化粧部材として機能する。
【０１１６】
図２３に示す可動ユニット４７は、固定ユニット４６の軸芯６１（図２２）を中心に回動することができる。すなわち、軸芯６１（図２２）を中心に回動して、挿入側ユニット３は、図１９に示すような姿勢や、図２０に示すような姿勢を呈することができる。
【０１１７】
蝶番１の挿入側ユニット３は、以上説明したように構成されている。
【０１１８】
次に、受け側ユニット２と挿入側ユニット３の着脱の仕方と、両ユニット２、３の相対位置の調整の仕方について説明する。
【０１１９】
図２９、図３０に示すように、受け側ユニット２に挿入側ユニット３を対向させる。すなわち、図２９、図３０に示す受け側ユニット２と挿入側ユニット３は、結合する直前の状態であると共に、分離した直後の状態でもある。
【０１２０】
図３１に示すように、受け側ユニット２の空間４４に挿入側ユニット３の挿入部５６を挿入する。図３１に示す状態では、受け側ユニット２の空間４４内に挿入側ユニット３の挿入部５６が挿入され、空間４４内に突出していた図８に示す着脱機構部８の係合部材２６が、図９に示すように筐体１６（支持体）の内部に押し込められる。
【０１２１】
すなわち、図１７に示すように着脱機構部８の係合部材２６は、ばね２５の付勢力によって筐体１６の外部に突出し、図８に示すように係合部材２６の先端部分が空間４４内に配置されている。そして、空間４４に挿入側ユニット３の挿入部５６が挿入されると、係合部材２６の先端部分は挿入部５６と当接する。係合部材２６は、図１８に示すようにばね２５の付勢力に抗して筐体１６内に押し込められ、空間４４（図９）から退避する。
【０１２２】
すなわち、係合部材２６の先端部分（内向きのフランジ部２６ｂの外面）は丸みを帯びており、また、挿入部５６の先端部分は、図２９、図３０に示すように傾斜面５６ｂが設けられていて先細り形状を呈している。そのため挿入部５６は、係合部材２６を筐体１６側へ押圧しながら空間４４内に進入することができる。
【０１２３】
挿入部５６が空間４４内に進入し、係合孔５６ａが係合部材２６の位置に達すると、係合部材２６を筐体１６内に押し込めていた力がなくなり、ばね２５の付勢力によって係合部材２６が筐体１６から突出して係合孔５６ａに嵌まる。その結果、挿入部５６は空間４４内で固定される。すなわち、受け側ユニット２と挿入側ユニット３が固定される。図３１に示す状態では、係合孔５６ａ（図２９）に係合部材２６（図８）が嵌まっており、両ユニット２、３は互いに離反不能である。
【０１２４】
このとき、挿入部５６は、扉４側に固着された受け側ユニット２（扉側ユニット）と一体化されており、挿入側ユニット３における扉側固定部を構成している。すなわち、挿入部５６と一体化された受け側ユニット２が扉側固定部を構成している。説明の都合上、ここでは、挿入部５６を扉側固定部とする。また、前述のように、挿入側ユニット３における固定部５１の取付部５１ａが構造物側固定部を構成している。さらに、挿入側ユニット３における可動部５２の挿通部５７が、連結部を構成している。
【０１２５】
一方、空間４４は、図４に示す受け側ユニット２の化粧部材７の長孔１３を介して外部と連通している。そのため、長孔１３を介して係合部材２６にアクセスすることができる。すなわち、長孔１３を介して、細長い工具（例えばドライバ等）で係合部材２６を押圧し、係合部材２６を空間４４から退避させることができる。よって、係合部材２６を空間４４から退避するように図示しない工具で押圧すると、係合部材２６と挿入部５６の係合孔５６ａの係合が外れ、挿入部５６は空間４４内を移動できるようになる。換言すると、係合部材２６に特定の外力を作用させた場合にのみ係合部材２６（係合部）と係合孔５６ａ（挿入部）の係合が解除されて、受け側ユニット２と挿入側ユニット３が相対移動可能になり、両者は図２９に示すように分離することができる。
【０１２６】
よって、蝶番１は、空間４４に挿入部５６を挿入するだけで受け側ユニット２と挿入側ユニット３を一体化することができると共に、細長い工具（図示せず）等を使用して係合部材２６を押し込むと、両ユニット２、３を分離することができる。
【０１２７】
次に、受け側ユニット２に対する挿入側ユニット３の取り付け位置の調整の仕方について説明する。
まず、受け側ユニット２に対する挿入側ユニット３の位置を、受け側ユニット２の幅方向に調整する方法について説明し、続いて、挿入側ユニット３を当該幅方向と直交する方向（水平面内）に調整する方法について説明する。
挿入側ユニット３を受け側ユニット２の幅方向に調整する際には、図３８に示すように蝶番１を開いた状態にして、受け側ユニット２の化粧部材７の長孔１３を介して位置調整機構部１５（図５）を操作する。
また、受け側ユニット２の幅方向と直交する方向に調整する際には、図３１に示すように蝶番１を閉じた状態にして、カバー６０を外して位置調整部材６５（図２１）を操作する。
【０１２８】
受け側ユニット２内には、図５に示す位置調整機構部１５が配置されている。位置調整機構部１５は、埋込部材６及び化粧部材７に対して埋込部材６及び化粧部材７の幅方向に移動可能である。位置調整機構部１５の移動範囲は、ガイド部材１４ａ、１４ｂと位置調整機構部１５の幅方向のクリアランスと一致しており、隆起部１１ａ、１１ｂ（図５）の間隔と位置調整機構部１５のクリアランスとも一致している。
【０１２９】
位置調整機構部１５は、図１１に示すように筐体１６と係合部材２６を有し、これらは一体化されている。係合部材２６の先端部分は、空間４４（図８、図２９）に突出しており、空間４４に挿入側ユニット３側の挿入部５６（図２９）が挿入され、係合部材２６と挿入部５６の係合孔５６ａが係合すると、位置調整機構部１５と挿入側ユニット３が一体化する。
【０１３０】
受け側ユニット２内の位置調整機構部１５と挿入側ユニット３が一体化されているため、受け側ユニット２内で位置調整機構部１５が移動すると、受け側ユニット２に対して挿入側ユニット３が移動する。すなわち、受け側ユニット２に対する挿入側ユニット３の位置が変化する。
【０１３１】
位置調整機構部１５の位置調整部材２４の渦巻状の係合部３０（図６、図７）が、受け側ユニット２の埋込部材６に設けた突起１２ａ、１２ｂ（図５、図７）の間に嵌め込まれている。
図４、図１５、図１７に示すように、位置調整部材２４の軸部２９は係合部材２６の内部に配置されており、係合部材２６の開口４３ａを介して外部から位置調整部材２４の操作穴２９ａにアクセスすることができる。すなわち、操作穴２９ａは六角穴であり、係合部材２６の外部から開口４３ａを介して操作穴２９ａに六角レンチを差し込み、位置調整部材２４を回転操作することができる。
【０１３２】
位置調整部材２４が回転すると、埋込部材６の一対の突起１２ａ、１２ｂに対して位置調整部材２４の渦巻状の係合部３０が移動する。そのため、一対の突起１２ａ、１２ｂに対する渦巻状の係合部３０の係合部位が、渦の外側から内側、又は内側から外側に移動する。
【０１３３】
その結果、位置調整機構部１５（挿入側ユニット３側）が、受け側ユニット２に対して相対移動し、受け側ユニット２に対する挿入側ユニット３の水平面内における所定方向（受け側ユニット２の幅方向）の位置が変化する。すなわち、受け側ユニット２に対する挿入側ユニット３の位置が調整される。
【０１３４】
次に、挿入側ユニット３の位置を受け側ユニット２の幅方向と直交する方向（水平面内）に調整する方法について説明する。
【０１３５】
図２０に示すように、挿入側ユニット３を取付部５１ａと挿入部５６が対面する姿勢にする。ここで、「取付部５１ａと挿入部５６が対面する姿勢」とは、取付部５１ａ（構造物側固定部）と挿入部５６（扉側固定部）における軸芯６１（挿通部５７側）とは反対側の端部同士が近接する姿勢であり、挿入側ユニット３（蝶番１）が閉じた状態の姿勢を意味している。挿入側ユニット３と受け側ユニット２が連結された状態においては、図３１に示すように、取付部５１ａと化粧部材７が対面する姿勢である。すなわち、このときの姿勢は、蝶番１が構造物５と扉４に取り付けられた状態（図３５）では、扉４が構造物５の出入口を閉じたときの挿入側ユニット３（蝶番１）の姿勢である。
【０１３６】
そして、カバー６０を、図２１に示すように挿通部５７から取外し、挿通部５７の孔５９を露出させる。カバー６０を外すと、位置調整部材６５の操作部８１の係合穴８１ａが孔５９を介して露出し、外部から係合穴８１ａにアクセスすることができるようになる。係合穴８１ａは、例えば六角穴であり、六角レンチを挿通すると、位置調整部材６５を回転操作することができる。すなわち、位置調整部材６５は、水平軸周りに回転可能な回転体を構成している。
【０１３７】
挿入側ユニット３の固定部５１と可動部５２は、図２７（ａ）、（ｂ）に示すように、互いに相対移動が可能である。また、揺動ガイド部材６４は、固定部５１と一体化されている。そして、揺動ガイド部材６４の一対の突起７７ａ、７７ｂと、可動部５２側の位置調整部材６５の渦巻状の突条８２（図２４）が、図２６に示すように係合している。
【０１３８】
そのため、位置調整部材６５が回転すると、一対の突起７７ａ、７７ｂに対する突条８２の係合する部位が変化する。すなわち、突条８２の渦のどの部位が突起７７ａ、７７ｂと係合するかによって、固定部５１側の揺動ガイド部材６４と可動部５２側の位置調整部材６５の位置関係が、図２６（ａ）乃至図２６（ｃ）に示すように変化する。よって、揺動ガイド部材６４と位置調整部材６５は、水平方向に相対的に揺動可能である。
【０１３９】
位置調整部材６５の係合穴８１ａに工具（六角レンチ）を挿入し、位置調整部材６５を回転させると、図２７（ａ）、図２７（ｂ）に示すように、固定部５１に対して可動部５２が水平方向に移動する。すなわち、図２７（ａ）では、可動部５２は固定部５１に対して比較的接近した位置にあり、図２７（ｂ）では、可動部５２は固定部５１に対して比較的離れた位置にある。この移動方向は、図６に示す位置調整機構部１５による受け側ユニット２に対する挿入側ユニット３の調整方向と直交する方向である。
【０１４０】
位置調整部材６５が回転する際には、位置調整部材６５の渦巻状の突条８２が、揺動ガイド部材６４の突起７７ａ、７７ｂから抵抗を受ける。そのため、位置調整部材６５は、所定以上の大きさの回転力が付与されなければ回転しない。すなわち、位置調整部材６５は不用意に回転することがない。換言すると、受け側ユニット２に対する挿入側ユニット３の相対位置は維持され易く、変動しにくい。
【０１４１】
次に、構造物５に扉４を取り付ける方法について説明する。
【０１４２】
図１に示すように、構造物５には固定部材４５が固定されており、固定部材４５が構造物５の一部を構成している。固定部材４５は金属等の剛性を有する素材で構成されている。固定部材４５は、構造物５の出入口である開口に設けられている。固定部材４５には取付面４５ａが設けられており、図２に示すように、取付面４５ａに蝶番１の挿入側ユニット３が埋設されている。そして、挿入側ユニット３の取付部５１ａは、構造物５の取付面４５ａと同一面内に配置されている。
【０１４３】
また、扉４の縁部分には、蝶番１の受け側ユニット２が固定されている。図１、図２に示すように、受け側ユニット２の化粧部材７が、扉４の端面と一致している。図２に示すように、受け側ユニット２の空間４４が扉４の外部に開口している。
【０１４４】
そして、扉４に固定した受け側ユニット２の空間４４に、構造物５側に固定した挿入側ユニット３の挿入部５６を挿入し、前述のように両ユニット２、３を結合すると、構造物５に対して扉４をワンタッチで取り付けることができる。
【０１４５】
図３２に示すように、挿入部５６の先端には傾斜面５６ｂが設けられており、挿入部５６の先端は先細りしている。また、係合部材２６の先端部分は空間４４を仕切る化粧部材７に至っておらず、空間４４の中央付近まで突出している。さらに、係合部材２６の先端部分は丸みを帯びている。そのため、挿入部５６が空間４４に進入すると、傾斜面５６ｂは係合部材２６の丸みを帯びた先端部分に当接し、係合部材２６は、図３３に示すように空間４４から退避し、筐体１６内に収容される。そして、挿入部５６は空間４４内を進行し、係合孔５６ａが係合部材２６の位置までくると、図３４に示すように、係合部材２６がばね２５の弾性力によって元の位置に復帰して係合孔５６ａに嵌まる（係合する）。この状態では、受け側ユニット２と挿入側ユニット３が結合して蝶番１が構成されている。すなわち、構造物５に対して扉４が蝶番１によって回動可能に取り付けられている。構造物５に扉４を取り付け後、蝶番１を中心に扉４を回動すると、図３に示すように、扉４によって構造物５の出入口（開口）を閉じることができる。
【０１４６】
次に、構造物５に取り付けられた扉４の取り付け位置の調整の仕方について説明する。すなわち、扉４が、構造物５の出入口（開口）を確実に開閉することができ、確実に施錠できるように、構造物５に対する扉４の取り付け位置を調整する。ただし、本実施形態では、錠設備（錠箱、戸当り等）の図示や説明は省略している。
【０１４７】
構造物５に対する扉４の取り付け位置が適切ではない場合には、蝶番１の位置調整機構部１５（図４）や位置調整部材６５（図２１）を操作し、構造物５に対して扉４が適切な位置にくるように取り付け位置を調整する。
【０１４８】
図３５は、構造物５（固定部材４５）に対して扉４を取り付け、取り付け位置の調整を行わずに扉４を閉じた状態の一例を示している。本実施形態では、図３５に示す方向を前後方向及び左右方向と定義する。すなわち、室内側から室外側へ向かう方向を前方とし、その逆を後方とする。また、室内側から見て扉４の左側を左方とし、右側を右方とする。
【０１４９】
図３５に示す位置にある扉４の取り付け位置を、後方で且つ左方に調整する場合について説明する。最初に扉４の取り付け位置を左方に移動させる操作について説明し、続いて後方に移動させる操作についてする。
【０１５０】
構造物５に対して扉４の取り付け位置を左右方向（チリ方向）に調整する場合には、図４０に示すように扉４を閉じ、カバー６０を取り外し、挿通部５７の側壁５７ａを露出させる。図２１に示すように側壁５７ａには孔５９が設けられており、孔５９を介して挿通部５７の内部の位置調整部材６５の操作部８１の係合穴８１ａが露出している。
【０１５１】
図４０に示す閉扉状態で、係合穴８１ａに工具（六角レンチ）を差し込み、位置調整部材６５（図２３、図２６）を回転させると、位置調整部材６５の背面側の渦巻状の突条８２（図２４、図２６）が回転する。その結果、突条８２と係合した揺動ガイド部材６４の一対の突起７７ａ、７７ｂ（図２３、図２６）が、位置調整部材６５の半径方向に移動する。すなわち、図２６（ａ）〜（ｃ）に示すように、突条８２における突起７７ａ、７７ｂと係合する部位が変化する。図２６（ａ）に示す状態では、突起７７ａ、７７ｂは、位置調整部材６５の比較的外周側に位置しており、図２６（ｂ）に示す状態では、図２６（ａ）の状態よりも内周側に位置しており、図２６（ｃ）に示す状態では、図２６（ｂ）の状態よりもさらに内周側に位置している。
【０１５２】
よって、位置調整部材６５が回転すると、位置調整部材６５（図２２に示す挿入側ユニット３の可動ユニット４７）と、揺動ガイド部材６４（図２２に示す挿入側ユニット３の固定ユニット４６）の水平方向の位置関係が変化する。この位置関係の変化する方向は、図７（ａ）〜（ｃ）に示す位置調整部材２４と突起１２ａ、１２ｂの位置関係の変化する方向（水平方向）と直交している。
【０１５３】
図２６（ａ）〜図２６（ｃ）に示すように位置調整部材６５と突起７７ａ、７７ｂが相対移動すると、図２７（ａ）、図２７（ｂ）に示すように、挿入側ユニット３の固定部５１と可動部５２の位置関係が変化する。
【０１５４】
位置調整部材６５は、可動部５２と一体化されており、揺動ガイド部材６４は軸芯６１を介して固定部５１と一体化されている。よって、位置調整部材６５と突起７７ａ、７７ｂ（揺動ガイド部材６４）が相対移動すると、図２３に示す挿入側ユニット３の挿入部５６（扉側固定部）と固定部５１の取付部５１ａ（構造物側固定部）が相対移動する。
【０１５５】
本実施形態では、挿通部５７の側壁５７ａに設けた孔５９に位置調整部材６５の操作部８１が挿通されており、位置調整部材６５は、挿通部５７に対して水平方向及び鉛直方向に移動せず、挿通部５７（側壁５７ａ）に対する回転のみが可能である。また、位置調整部材６５が回転（右回り及び左回り）すると、揺動ガイド部材６４（突起７７ａ、７７ｂ）は、渦巻状の突条８２に押圧されて水平方向に所定の範囲内で往復移動する。すなわち、揺動ガイド部材６４は、水平方向往復移動部材として機能する。
【０１５６】
すなわち、本実施形態に係る蝶番１では、揺動ガイド部材６４と位置調整部材６５（位置調整機構）を設けたことによって、蝶番１を閉じた状態（挿入部５６（扉側固定部）と取付部５１ａ（構造物側固定部）が対面する姿勢）で、挿入部５６と取付部５１ａ（両固定部）の間隔が変化するように両固定部の相対位置を変更することができる。換言すると、扉４を閉じた状態で構造物５に対する扉４の左右方向の取り付け位置を調整することができる。そのため、調整時に扉４を開閉する必要がなく、構造物５に対する扉４の左右方向の取り付け位置の調整が容易であり、速やかに調整することができる。
【０１５７】
ここで、位置調整部材６５は、外力が作用しない限り回転しない。よって、工具（六角レンチ）で位置調整部材６５を回転操作しない限り、位置調整部材６５は回転しない。すなわち扉４が、適切な取り付け位置で維持される。そのため、蝶番１には位置調整部材６５の不用意な回転を阻止するロック機構を設ける必要がない。その結果、蝶番１の構成は簡素になり、小型化を図ることができる。
【０１５８】
位置調整部材６５の外周部分には凹凸８０が設けられており、この凹凸８０が支持部材６３ａに設けられた突部７９（図２５、図２８）と係合している。そのため、位置調整部材６５の回転には節度が付与されている。よって、位置調整部材６５を決まった角度位置で停止させ易い。
【０１５９】
そして、位置調整部材６５を回転操作し、図２７（ａ）、図２７（ｂ）に示すように固定部５１に対して可動部５２を移動させると、可動部５２と一体の受け側ユニット２（扉４）が移動する。すなわち、構造物５に対する扉４の左右方向の取り付け位置が変化する。本実施形態では、図３５に示す状態から図３６に示す状態に扉４の取り付け位置を調整する。
【０１６０】
本実施形態では、位置調整部材６５に渦巻状の突条を設け、揺動ガイド部材６４に突起７７ａ、７７ｂを設けた例を示したが、位置調整部材６５に突起７７ａ、７７ｂを設け、揺動ガイド部材６４に渦巻状の突条（又は渦巻状の溝）を設けてもよい。
【０１６１】
次に、扉４の取り付け位置を前後方向に調整する場合には、作業者が扉４の端面に固定した受け側ユニット２にアクセスし易くなるように、図３４に示すように扉４を開く。図３４に示す状態では、受け側ユニット２の化粧部材７に設けられた長孔１３と、係合部材２６の開口４３ａを介して、図示しない工具（六角レンチ）を位置調整機構部１５の位置調整部材２４の操作穴２９ａに挿入し、位置調整部材２４を回転操作することができる。
【０１６２】
位置調整部材２４が回転すると、位置調整部材２４に設けられた渦巻状の突条である係合部３０（図６）と、受け側ユニット２の筐体を構成する埋込部材６に設けられた一対の突起１２ａ、１２ｂ（図６）の相対位置が変化する。すなわち、係合部３０と一対の突起１２ａ、１２ｂは、例えば図７（ａ）乃至図７（ｃ）に示すような位置関係になる。
【０１６３】
位置調整部材２４が図７（ａ）に示す回転位置から図７（ｂ）又は図７（ｃ）に示す回転位置まで回転すると、一対の突起１２ａ、１２ｂは、位置調整部材２４の外周側から内周側へ移動している。すなわち、突起１２ａ、１２ｂは、位置調整部材２４の外周側から内周側へ移動している。ここで、位置調整部材２４と挿入側ユニット３の挿入部５６は、係合部材２６を介して一体化されており、位置調整部材２４が移動すると、挿入部５６も追従して移動する。
【０１６４】
挿入部５６は、構造物５（固定部材４５）に固定されているため、実際には、位置調整部材２４はその場で回転するだけであり、受け側ユニット２（扉４）が前後方向に移動する。ここでは、閉時に扉４の取り付け位置が後方に移動するように調整するので、図３４に示す開時では、扉４が前方に移動するように、図示しない工具で位置調整部材２４（操作穴２９ａ）を回転操作する。
【０１６５】
図３８は、開いた状態の扉４が、構造物５に対して比較的後方側に取り付けられている状態を示している。すなわち、このとき係合部材２６は、図３８で見て化粧部材７の長孔１３の右側（前方側）に偏った位置にある。
【０１６６】
これを係合部材２６が長孔１３の左側（後方側）へ移動するように、図示しない工具で操作穴２９ａを回転操作する。図３９は、開いた状態の扉４が、図３８に示す位置よりも、構造物５に対して比較的前方側に取り付けられている状態を示している。すなわち、このとき係合部材２６は、図３９で見て化粧部材７の長孔１３の左側（後方側）に偏った位置にある。
【０１６７】
扉４を閉じると、図３７に示すように、構造物５に対して扉４の取り付け位置が図３６に示す位置よりも後方側へ調整されているのがわかる。この調整が不十分である場合には、再度扉４を開き、同様の操作を行う。その際、作業者は、図３６の状態から図３７の状態に扉４を移動させた位置調整部材２４の回転操作量を基準にして、どの程度位置調整部材２４を回転操作すれば扉４が適切な取り付け位置に移動するかを判断することができる。
【０１６８】
また、位置調整部材２４は、外周部２７に凸部２７ａと凹部２７ｂが連続的に設けられており、筐体１６側には凹部２７ｂと係合する突条部１９が設けられている。そのため位置調整部材２４は、突条部１９が凸部２７ａと接する回転位置では不安定であり、突条部１９が凹部２７ｂと噛み合う回転位置で安定する。すなわち、位置調整部材２４の回転には節度が付与されている。よって、位置調整部材２４は、決まった角度位置で停止し、調整作業が容易である。
【０１６９】
ここで、位置調整部材２４は、外力が作用しない限り回転しない。よって、工具（六角レンチ）で位置調整部材２４を回転操作しない限り、位置調整部材２４は回転せず、蝶番１には位置調整部材２４の不用意な回転を阻止するロック機構を設ける必要がない。そのため、蝶番１の構成は簡素であり、小型化を図ることができる。
【０１７０】
本実施形態では、位置調整部材２４には渦巻状の突条の係合部３０（図６）を設けた例を示したが、係合部３０の代わりに渦巻状の溝を設けてもよい。この場合には、当該溝に係合する突起を埋込部材６に設ける。また、本実施形態では、位置調整部材６５には渦巻状の突条８２（図２４）を設けた例を示したが、突条８２の代わりに渦巻状の溝を設けてもよい。この場合には、当該溝に係合する突起を揺動ガイド部材６４に設ける。
【０１７１】
また、本実施形態に係る蝶番１では、扉４側に受け側ユニット２を設け、構造物５側に挿入側ユニット３を設けたが、逆に、扉４側に挿入側ユニット３を設け、構造物５側に受け側ユニット２を設けてもよい。
【０１７２】
従来の蝶番では、構造物に対する扉の前後方向（左右方向）の取り付け位置を先に調整して固定し、続いて左右方向（前後方向）の取り付け位置を調整することはできなかった。そのため、構造物に対する扉の前後方向の位置も左右方向の位置も同時に調整しなければならなかった。そして、たとえ前後方向（左右方向）の位置が適切に調整されても、左右方向（前後方向）の位置が適切ではない場合には、再度前後方向（左右方向）と左右方向（前後方向）の位置を調整し直さなければならなかった。
【０１７３】
一方、本発明によると、構造物に対する扉の前後方向の位置調整と左右方向の位置調整を個別に独立して行うことができる。すなわち、構造物に対する扉の前後方向（左右方向）の取り付け位置が適切に調整された場合には、扉の前後方向（左右方向）の取り付け位置を固定した状態で、扉の左右方向（前後方向）の取り付け位置のみを調整することができる。その結果、本発明による蝶番では、構造物に対して扉を速やかに適切な取り付け位置に取り付けることができる。
【０１７４】
特に、本実施形態に係る蝶番１では、挿通部５７（連結部）に操作部８１を設け、操作部８１を操作することによって、位置調整部材６５と揺動ガイド部材６４の左右方向の相対位置を変更（調整）することができるので、扉４を閉鎖した状態で構造物５に対する扉４の左右方向の取り付け位置を調整することができる。そのため、常に扉４と構造物５の位置関係を確認しながら扉４の取り付け位置の調整作業を行うことができ、扉４を速やかに適切な取り付け位置に配置することができる。
【０１７５】
本実施形態では、蝶番１は、受け側ユニット２と挿入側ユニット３がワンタッチで着脱できる構造を有したものとしたが、蝶番１は、扉４に固定される部位と構造物５側に固定される部位とが一体化されていても差し支えない。すなわち、本発明の蝶番は、蝶番１の受け側ユニット２と挿入側ユニット３のように着脱できる構造を有している必要はなく、両ユニットが離脱不能に一体化されたものであっても実施可能である。
【０１７６】
本実施形態における蝶番１は、図２に示すように、扉４に固定される受け側ユニット２と構造物５側に固定される挿入側ユニット３を有している。図２では、蝶番１の構造が把握し易くなるように、構造物５側を簡略して示した。蝶番１を介して構造物５側に扉４を連結固定する際、構造物５側には図４１〜図４３に示す枠部材９５を一体的に固定するのが好ましい。枠部材９５は、鉛直姿勢で使用される２つの縦部材４５（固定部材４５）、９７と、水平姿勢で使用される２つの横部材９８、９９で構成されている。これらの縦部材４５、９７、横部材９８、９９によって構造物５の開口（図示せず）に装着される枠形状の枠部材９５が構成されている。ここで、横部材９９（構造物の床面に装着される横部材）は省略することもできる。
【０１７７】
枠部材９５は、本実施形態では木製であるが、ステンレス等の耐久性に優れた素材で構成されていてもよい。
【０１７８】
２つの縦部材４５、９７のうちの一方の縦部材４５（扉取付部構成部材）に蝶番１の挿入側ユニット３が取り付けられている。また、扉４の縁に蝶番１の受け側ユニット２が取り付けられている。
【０１７９】
本実施形態では、扉４の上下二カ所に同一構造の蝶番１（受け側ユニット２）が取り付けられている。また、縦部材４５（枠部材９５）にも、対応する挿入側ユニット３が二カ所に取り付けられている。
【０１８０】
枠部材９５は、縦部材４５、９７、横部材９８、９９が分解された状態（図４３）で束ね、工場等から設置現場へ搬送するのが好ましい。設置現場では、構造物５の開口（図示せず）に枠部材９５を装着し、さらに蝶番１の各ユニット２、３を連結することにより、構造物５に扉４を非常に簡単に取り付けることができる。
【０１８１】
図４１に示すように、枠部材９５に扉４を取り付けた状態では、扉４は全開状態である。矢印Ａで示すように扉４を回動させることにより、扉４によって枠部材９５で囲われた開口が閉じられる。
【符号の説明】
【０１８２】
１    蝶番
４    扉
５    構造物
４５  固定部材（縦部材、扉取付部構成部材）
５１ａ  取付部（構造物側固定部）
５６  挿入部（扉側固定部）
５７  挿通部（連結部）
６４  揺動ガイド部材（構造物側構成部、揺動体、位置調整機構）
６５  位置調整部材（扉側構成部、回転体、位置調整機構）
７７ａ、７７ｂ  突起
８１  操作部（水平軸）
８２  渦巻状の突条
【図１】
2020060093.tif 000003
【図２】
2020060093.tif 000004
【図３】
2020060093.tif 000005
【図４】
2020060093.tif 000006
【図５】
2020060093.tif 000007
【図６】
2020060093.tif 000008
【図７】
2020060093.tif 000009
【図８】
2020060093.tif 000010
【図９】
2020060093.tif 000011
【図１０】
2020060093.tif 000012
【図１１】
2020060093.tif 000013
【図１２】
2020060093.tif 000014
【図１３】
2020060093.tif 000015
【図１４】
2020060093.tif 000016
【図１５】
2020060093.tif 000017
【図１６】
2020060093.tif 000018
【図１７】
2020060093.tif 000019
【図１８】
2020060093.tif 000020
【図１９】
2020060093.tif 000021
【図２０】
2020060093.tif 000022
【図２１】
2020060093.tif 000023
【図２２】
2020060093.tif 000024
【図２３】
2020060093.tif 000025
【図２４】
2020060093.tif 000026
【図２５】
2020060093.tif 000027
【図２６】
2020060093.tif 000028
【図２７】
2020060093.tif 000029
【図２８】
2020060093.tif 000030
【図２９】
2020060093.tif 000031
【図３０】
2020060093.tif 000032
【図３１】
2020060093.tif 000033
【図３２】
2020060093.tif 000034
【図３３】
2020060093.tif 000035
【図３４】
2020060093.tif 000036
【図３５】
2020060093.tif 000037
【図３６】
2020060093.tif 000038
【図３７】
2020060093.tif 000039
【図３８】
2020060093.tif 000040
【図３９】
2020060093.tif 000041
【図４０】
2020060093.tif 000042
【図４１】
2020060093.tif 000043
【図４２】
2020060093.tif 000044
【図４３】
2020060093.tif 000045